(57)【特許請求の範囲】
【請求項１】
シート材から成る袋体を含む構造部材の、前記袋体に中詰材を詰めた土壁構造体を積み上げ、
前記構造部材の開口部近傍に取付けた可撓性の吊りベルトであって、一方の端部を取り外した吊りベルトを、背後の盛土の上に敷設して、盛土の間に挟んでなる補強土壁。
【請求項２】
シート材から成る袋体を含む構造部材の、前記袋体に中詰材を詰めた土壁構造体を積み上げ、
前記構造部材の開口部近傍に取付けた可撓性の蓋体であって、前記開口部を覆った蓋体の先端部を、背後の盛土の上に敷設して、盛土の間に挟んでなる補強土壁。
【請求項３】
盛土の上に伸ばした吊りベルトの端部には、支圧部材を取付けたことを特徴とする請求項１に記載の補強土壁。
【請求項４】
積み上げた土壁構造体の前面には、表層壁を構築してあることを特徴とする
請求項１乃至３のいずれか１項に記載の補強土壁。
【請求項５】
表層壁は、セメント系硬化材の吹き付け壁、コンクリートパネル、若しくは擬木パネルによって構築してあることを特徴とする
請求項４に記載の補強土壁。
【請求項６】
袋体と吊りベルトを含む構造部材を使用して補強土壁を構築する方法であって、
構造部材の袋体内に中詰め材を詰めて土壁構造体とし、
前記土壁構造体を地形に設置して、その背後に盛土し、
前記土壁構造体の吊りベルトの二端部のうち、一方側の端部を袋体から取り外して盛土の上に伸ばし、
前記土壁構造体の上に土壁構造体を積み上げ、その背後に盛土し、取り外した吊りベルトを盛土上に敷設することを繰り返して補強土壁を構築する
補強土壁の構築方法。
【請求項７】
袋体と蓋体を含む構造部材を使用して補強土壁を構築する方法であって、
構造部材の袋体内に中詰め材を詰めて土壁構造体とし、
前記土壁構造体を地形に設置して、その背後に盛土し、
前記土壁構造体の開口部を覆った蓋体の先端部を盛土の上に伸ばし、
前記土壁構造体の上に土壁構造体を積み上げ、その背後に盛土し、蓋体を盛土上に敷設することを繰り返して補強土壁を構築する
補強土壁の構築方法。
【発明の詳細な説明】
【技術分野】
【０００１】
本発明は、土砂などの中詰め材を詰めた土壁構造体を使用した補強土壁と、その補強土壁の構築方法に関するものである。
【背景技術】
【０００２】
斜面の補強のための補強土壁を構築する手段として、これまで様々な手段が開発されている。
例えば、特開２００５−１５５１９１公報に開示されているように、既存の斜面に沿って、小型の鋼製の壁面材を設置して、その背後に盛土し、これを幾度も繰り返して補強土壁を構築する方法がある。
このような方法は、壁面材を幾度も積み上げ、その度に盛土を繰り返さなければならないので、施工期間が長くなる。
従って、斜面崩落などが発生した緊急の復旧工事を要する現場などには、この方法は適さない。
【０００３】
他方、緊急を要する補強土壁の施工手段として、特開２００８−５０９４０号公報に開示されたような手段がある。
同公報の発明は、土砂などの中詰め材を詰めた土嚢を使用し、これらを盛土の前面に積み上げて、補強土壁を構築するものである。
このような土嚢であると、背後の盛土との一体化が充分でなく、土圧を受け止めるのは土嚢の自重だけであるため、大きな荷重があると壁が崩落する恐れがある。
また、土嚢に採用する合成樹脂繊維などの織布は、耐候性が余り高くなく、日光や風雨にさらされると土嚢の強度が低くなり、破損する可能性が高くなる。
【特許文献１】特開２００５−１５５１９１号公報
【特許文献２】特開２００８−５０９４０号公報
【発明の開示】
【発明が解決しようとする課題】
【０００４】
本発明が解決しようとする課題は、緊急を要する施工にも採用できるとともに、背後の盛土も一体化した補強土壁と、その構築方法を提供するものである。
【課題を解決するための手段】
【０００５】
本発明にかかる補強土壁は、シート材から成る袋体を含む構造部材の、前記袋体に中詰材を詰めた土壁構造体を積み上げ、前記構造部材の一部が開口部近傍に取付けた可撓性の吊りベルトであって、一方の端部を取り外した吊りベルト、または、開口部近傍に取付けた可撓性の蓋体であって、前記開口部を覆った蓋体の先端を、背後の盛土の上に敷設して、盛土の間に挟んでなる。
本発明にかかる他の補強土壁は、盛土の上に伸ばした吊りベルトの端部には、支圧部材を取付けるものである。
本発明にかかる他の補強土壁は、積み上げた土壁構造体の前面には、表層壁を構築してある。
本発明にかかる他の補強土壁は、表層壁は、セメント系硬化材の吹き付け壁、コンクリートパネル、若しくは擬木パネルによってする。
【０００６】
本発明にかかる補強土壁の構築方法は、袋体と吊りベルトを含む構造部材を使用して補強土壁を構築する方法であって、
構造部材の袋体内に中詰め材を詰めて土壁構造体とし、
前記土壁構造体を地形に設置して、その背後に盛土し、
前記土壁構造体の吊りベルトの二端部のうち、一方の端部を袋体から取り外して盛土の上に伸ばし、
前記土壁構造体の上に土壁構造体を積み上げ、その背後に盛土し、取り外した吊りベルトを盛土上に敷設することを繰り返して補強土壁を構築するものである。
本発明にかかる他の補強土壁の構築方法は、袋体と蓋体を含む構造部材を使用して補強土壁を構築する方法であって、
構造部材の袋体内に中詰め材を詰めて土壁構造体とし、
前記土壁構造体を地形に設置して、その背後に盛土し、
前記土壁構造体の開口部を覆った蓋体の先端部を盛土の上に伸ばし、
前記土壁構造体の上に土壁構造体を積み上げ、その背後に盛土し、蓋体を盛土上に敷設することを繰り返して補強土壁を構築するものである。
【発明の効果】
【０００７】
本発明は以上のような構成を有し、少なくとも下記のいずれか一つの効果を達成するものである。
＜ａ＞土壁構造体は吊りベルトを備えているため、土壁構造体をクレーンなどで吊り上げて運搬・設置作業を容易に行うことが可能である。
＜ｂ＞土壁構造体の袋体を方形箱状に形成することで、設置して、積み上げるときその坐りが良好となる。
＜ｃ＞土壁構造体に土砂などの中詰め材を詰め、設置して盛土を繰り返すだけで補強土壁を施工できるため、緊急を要する施工にも採用でき、早急な復旧工事が可能となる。
＜ｄ＞土壁構造体の吊りベルトの両端のうち一方の端部を拘束体から切り離し、或いは開口部を覆う蓋体を、盛土の上に敷設し、その上に盛土することで、土壁構造体の転倒防止を行うとともに、盛土の荷重によってベルトが挟まれて盛土と土壁構造体が一体化し、更に上下の盛土も一体化して、大きな一体となった補強土壁が構築可能となる。
＜ｅ＞吊りベルトや蓋体を盛土の上に敷設して埋設することで、施工中には土壁構造体の転倒を防止して形状を保持し、盛土部分のすべり崩壊を抑制する。
＜ｆ＞施工完了後も、盛土のすべり崩壊の抑制機能を果たし、盛土の上に別個に敷いていたジオテキスタイルなどの盛土補強材としての機能を果たす。
＜ｇ＞吊りベルトや蓋体が盛土補強材としても機能するため、現地の土の状態、盛土の形状、盛土高さ、前面の勾配などの条件によっては、盛土補強材の使用を省略できる。よって、従来の補強盛土よりも施工性が良く、且つ経済的である。
＜ｈ＞運搬に使用した吊りベルトや蓋体を盛土との一体化の部材としても兼用することで、無駄のない、効率的な施工が迅速に行える。
＜ｉ積み上げた土壁構造体の前面に表層壁を構築することで、シート材から成る袋体を保護することが可能で、長期的な補強土壁としても構築可能となる。
＜ｊ＞吊りベルトの先端に支圧板を取付けることで、補強土壁と盛土とのより一体化を図ることができる。
【実施例１】
【０００８】
＜１＞  土壁構造体
土壁構造体Ｂは、構造部材Ｃに中詰材３を詰めたものであり、構造部材Ｃは、袋体１と、この袋体１に取付けられる吊りベルト２・２から成っている。
袋体１は、例えばポリエチレン樹脂などの合成樹脂繊維を織った織布などのシート材から形成してあり、図２に示すように上方を開放した方形箱形の袋状になっている。
袋体１の上方の開口部近傍、実施例では左右に中間部を折り返した吊りベルト２・２の両端の取付け部５・５が縫合などして取付けられている。
吊りベルト２も、合成樹脂繊維を織った織布によって形成されている。
【０００９】
＜２＞  中詰め材
構造部材Ｃの袋体１の中には、中詰め材３を詰める。
中詰め材３としては、土砂の他、この土砂に発砲樹脂や硬化材を混ぜたものも採用できる。
【００１０】
＜３＞  設置
袋体１に中詰め材３を詰めた土壁構造体Ｂを、地形の補強土壁Ａ構築予定位置に設置する。
袋体１は、吊りベルト２・２をクレーンで掴んで運び、設置する。
このとき、吊りベルト２の両端の左右取付け部５・５が、補強土壁Ａの厚み方向に離隔するようにする。
【００１１】
＜４＞  盛土
土壁構造体Ｂの袋体１の背後に、袋体１の上端と同じ高さ分、盛土４を施す。
【００１２】
＜５＞  吊りベルトの敷設
袋体１に取付けた吊りベルト２の両端の取付け部５・５のうち、補強土壁Ａの前面側の取付け部５近傍を切断する。
切り離した吊りベルト２を、もう一方の取付け部５から前記盛土４の上に敷設する。
【００１３】
＜６＞  袋体の積み上げ
既に設置した土壁構造体Ｂの袋体１の上に、中詰め材３を詰めた土壁構造体Ｂを設置して積み上げる。
土壁構造体Ｂの袋体１の上方が開放されている場合は、中詰め材３が露出しており、この上に袋体１を載せたとき、中詰め材３が滑り止めとなって上下の袋体１・１が横滑りしない。
【００１４】
＜７＞  盛土・吊りベルトの敷設
積み上げた袋体１の背後に盛土４し、下の段の袋体１背後の盛土４の上に敷いた吊りベルト２を盛土４・４の間に挟み込むようにする。
吊りベルト２が土壁構造体Ｂの転倒を防止し、その形状を保持する一方、盛土４部分のすべり崩壊を抑制する。
次に、前記と同じように、上となった袋体１の吊りベルト２の一方の端部を切り離して、盛土４の上に敷設する。
【００１５】
＜８＞  繰り返し
以上の袋体１の設置、盛土４、吊りベルト３の敷設を繰り返し、所要高さまで土壁構造体Ｂを積み上げて、補強土壁Ａを構築する。
施工完了後は、吊りベルト２は、盛土のすべり崩壊の抑制機能を果たし、現地の土の状態、盛土形状、盛土高さ、前面の勾配などの条件によっては、従来別途採用していたジオテキスタイルなどの盛土補強材の使用を必要がない場合もある。
【実施例２】
【００１６】
以上のように土壁構造体Ｂを積み上げることによって補強土壁Ａを形成したが、図５に示すように、積み上げた袋体１の前面に、セメント系硬化材であるモルタル６を吹き付けて表層壁７を形成してもよい。
表層壁７は、袋体１が日光や風雨にさらされるのを防ぎ、劣化を防止する。
また、補強土壁Ａの景観を向上させる。
その他、表層壁７としては、コンクリート製の外壁材や、コンクリート製の擬木などを採用して、袋体１との間にモルタルなどのセメント系硬化材を詰めるような構成も採用できる。
【実施例３】
【００１７】
盛土４の上に敷いた吊りベルト２の端部を、図６に示すように方形の支圧板８に通して結び目を作り、抜けなくして盛土４の中に埋設することもある。
吊りベルト２の盛土４の中での引抜き抵抗が増し、盛土４と袋体１との一体化が向上する。
以上の実施例では袋体１の上方を開放したが、図３に示すように、織布で形成した蓋体９を取り付ける。
蓋体９によって開口部を覆い、そのまま先端を背後の盛土４の上に伸ばして、その上に更に盛土４して、土壁構造体Ｂの転倒防止と形状保持が可能となる。
図３の実施例では、吊りベルト２と蓋体９が取付けられているが、蓋体９を盛土４中に挟んで転倒防止する場合は、吊りベルト２が無い構造部材Ｃを使用することもある。
【実施例４】
【００１８】
図７に示すのは、吊りベルト２や蓋体９と一緒に、盛土４内にジオテキスタイル１０を挟むように敷設して併用した実施例である。
図８に示すのは、土壁構造体Ｂを直上に積み重ねるのではなく、少しづつズラして積み上げた例である。
【図面の簡単な説明】
【００１９】
【図１】補強土壁の構築方法の施工状態の説明図
【図２】袋体の一実施例の斜視図
【図３】袋体の他の実施例の斜視図
【図４】補強土壁の一実施例の断面図
【図５】補強土壁の他の実施例の断面図
【図６】支圧板の斜視図
【図７】補強土壁の他の実施例の断面図
【図８】補強土壁の他の実施例の断面図
【符号の説明】
【００２０】
Ａ：補強土壁
Ｂ：土壁構造体
Ｃ：構造部材
１：袋体
２：吊りベルト
３：中詰め材
４：盛土
５：取付け部
６：モルタル
７：表層壁
８：支圧板
９：蓋体
１０：ジオテキスタイル
【図１】
0005100513.tif 000002
【図２】
0005100513.tif 000003
【図３】
0005100513.tif 000004
【図４】
0005100513.tif 000005
【図５】
0005100513.tif 000006
【図６】
0005100513.tif 000007
【図７】
0005100513.tif 000008
【図８】
0005100513.tif 000009